(57)【要約】【課題】容易に所望のズーム倍率に変更することができる撮像装置、撮像装置の制御方法、及び撮像プログラムを提供すること。【解決手段】本発明にかかる撮像装置１は、ズームレンズ１０１と、撮像素子１０４と、ズームアクチュエータ１１５と、フラッシュメモリ２０４と、光学ズーム制御部４０１と、を備える。撮像素子１０４は、ズームレンズ１０１により結像された被写体像を撮像する。ズームアクチュエータ１１５は、ズームレンズ１０１を駆動する。フラッシュメモリ２０４は、予め設定されたズーム倍率に関する情報を格納する。光学ズーム制御部４０１は、メモリボタン９０４の操作に応じて、撮像装置１のズーム倍率が予め設定されたズーム倍率になるように、ズームアクチュエータ１１５を制御する。【選択図】図４
2014123909.tif 000002
【特許請求の範囲】
【請求項１】
被写体像を撮像する撮像部と、
ズーム倍率を調整するズーム部と、
ユーザにより予め設定されたズーム倍率に関する情報を格納する記憶部と、
前記ユーザが操作可能な第１のズーム倍率変更部と、
前記第１のズーム倍率変更部の操作に応じて、前記ズーム倍率が前記予め設定されたズーム倍率になるように、前記ズーム部を制御するズーム制御部と、
を備える撮像装置。
【請求項２】
ユーザが操作可能な第２のズーム倍率変更部をさらに備え、
前記ズーム制御部は、前記撮像装置の前記ズーム倍率が前記第２のズーム倍率変更部の操作量に応じた前記ズーム倍率になるように、前記ズーム部を制御する請求項１に記載の撮像装置。
【請求項３】
前記ズーム制御部は、前記第２のズーム倍率変更部の操作量に応じて調整された前記撮像装置の前記ズーム倍率を、前記記憶部への格納要求に応じて、前記予め設定されたズーム倍率として前記記憶部に格納する請求項２に記載の撮像装置。
【請求項４】
前記ズーム部は、
ズームレンズと、前記ズームレンズを駆動するレンズ駆動部と、を含み、
前記ズーム制御部は、前記第１のズーム倍率変更部の操作に応じて、光学ズーム倍率が前記予め設定されたズーム倍率になるように、前記レンズ駆動部を制御する請求項２または３に記載の撮像装置。
【請求項５】
前記ズームレンズの駆動速度は可変であり、
前記ズーム制御部は、前記第１のズーム倍率変更部の操作に応じて前記レンズ駆動部を制御する場合、前記ズームレンズを最高速度で駆動させ、前記第２のズーム倍率変更部の操作に応じて前記レンズ駆動部を制御する場合、前記第２のズーム倍率変更部の操作量に応じた駆動速度で前記ズームレンズを駆動させる請求項４に記載の撮像装置。
【請求項６】
前記レンズ駆動部は、駆動パルス信号のパルス数に応じて駆動するステッピングモータを含み、
前記記憶部は、前記予め設定されたズーム倍率に対応する駆動パルス信号のパルス数を格納する請求項４または５に記載の撮像装置。
【請求項７】
前記ズーム部は、前記撮像部により生成された画像データに対してデジタルズーム処理を行うデジタルズーム処理部をさらに含み、
前記ズーム制御部は、前記第１のズーム倍率変更部の操作に応じて、デジタルズーム倍率が前記予め設定されたズーム倍率になるように、前記デジタルズーム処理部を制御する請求項１〜６のいずれか一項に記載の撮像装置。
【請求項８】
ユーザが操作可能な第３のズーム倍率変更部をさらに備え、
前記ズーム制御部は、前記デジタルズーム倍率が前記第３のズーム倍率変更部の操作量に応じた前記ズーム倍率となるように、デジタルズーム処理部を制御する請求項７に記載の撮像装置。
【請求項９】
前記ズーム制御部は、前記第３のズーム倍率変更部の操作量に応じて調整された前記デジタルズーム倍率を、前記記憶部への格納要求に応じて、前記予め設定されたズーム倍率として前記記憶部に格納する請求項８に記載の撮像装置。
【請求項１０】
音声を取得し、第１の音声信号に変換する第１のマイクと、
音声を取得し、第２の音声信号に変換する第２のマイクと、
前記撮像装置の前記ズーム倍率に基づいて、前記第１の音声信号及び前記第２の音声信号に含まれる同位相の信号のレベルを低減させる音声制御部と、をさらに備える請求項１〜９のいずれか一項に記載の撮像装置。
【請求項１１】
前記音声制御部は、前記撮像装置の前記ズーム倍率が低いほど、前記同位相の信号のレベルの低減量を大きくする請求項１０に記載の撮像装置。
【請求項１２】
ズーム倍率を調整するズーム部を備える撮像装置の制御方法であって、
被写体像を撮像するステップと、
ユーザにより予め設定されたズーム倍率に関する情報を記憶部に格納するステップと、
前記ユーザが操作可能な第１のズーム倍率変更部の操作に応じて、ズーム倍率が前記予め設定されたズーム倍率になるように、前記ズーム部を制御するステップと、
を備える撮像装置の制御方法。
【請求項１３】
ズーム倍率を調整するズーム部を備える撮像装置の撮像プログラムであって、
コンピュータに、
被写体像を撮像させるステップと、
ユーザにより予め設定されたズーム倍率に関する情報を記憶部に格納させるステップと、
前記ユーザが操作可能な第１のズーム倍率変更部の操作に応じて、ズーム倍率が前記予め設定されたズーム倍率になるように、前記ズーム部を制御させるステップと、
を備える撮像プログラム。
【発明の詳細な説明】
【技術分野】
【０００１】
本発明は撮像装置、撮像装置の制御方法、及び撮像プログラムに関する。
【背景技術】
【０００２】
近年、ビデオカメラ等の撮像装置を用いてスポーツを撮影する機会が増えてきている。このような状況に対応して、スポーツに特化した設定であるスポーツモードを備える撮像装置も普及している。スポーツの中には、特定の画角を用いて撮影が行われるスポーツが存在する。例えば、サッカーの試合では、主にグランド全体が含まれる画角やゴール前のみが含まれる画角等が用いられる。
【０００３】
なお、特許文献１には、非スポーツモードからスポーツモードに撮影シーンモードが変更されるのに応答して、撮像、表示および記録のフレームレートが同期して高速化するデジタルカメラが開示されている。
【先行技術文献】
【特許文献】
【０００４】
【特許文献１】特開２００５−８６４９９号公報
【発明の概要】
【発明が解決しようとする課題】
【０００５】
１台の撮像装置を用いて複数種類の画角を必要とするスポーツを撮像する場合、ユーザはスポーツの場面に応じて画角を変更する、つまり、ズーム操作を行う必要がある。しかしながら、ズーム操作により画角を変更する場合、ユーザは、スポーツの場面に応じた複数種類のズーム倍率を記憶し、当該ズーム倍率（画角）になるように正確なズーム操作を行う必要がある。そのため、画角の変更操作が煩雑になるという問題がある。
【０００６】
本発明は、上述の課題に鑑みてなされたものであり、容易に所望のズーム倍率に変更することができる撮像装置、撮像装置の制御方法、及び撮像プログラムを提供することを目的とする。
【課題を解決するための手段】
【０００７】
そこで、本発明は、被写体像を撮像する撮像部（１０４）と、ズーム倍率を調整するズーム部（ズームレンズ１０１、ズームアクチュエータ１１５、デジタルズーム処理部４０３）と、ユーザにより予め設定されたズーム倍率に関する情報を格納する記憶部（フラッシュメモリ２０４）と、前記ユーザが操作可能な第１のズーム倍率変更部（メモリボタン９０４）と、前記第１のズーム倍率変更部の操作に応じて、前記ズーム倍率が前記予め設定されたズーム倍率になるように、前記ズーム部を制御するズーム制御部（光学ズーム制御部４０１、デジタルズーム制御部４０２）と、を備える撮像装置を提供する。
また、本発明は、ズーム倍率を調整するズーム部（ズームレンズ１０１、ズームアクチュエータ１１５、デジタルズーム処理部４０３）を備える撮像装置の制御方法であって、被写体像を撮像するステップと、ユーザにより予め設定されたズーム倍率に関する情報を記憶部（フラッシュメモリ２０４）に格納するステップと、前記ユーザが操作可能な第１のズーム倍率変更部（メモリボタン９０４）の操作に応じて、ズーム倍率が前記予め設定されたズーム倍率になるように、前記ズーム部を制御するステップと、を備える撮像装置の制御方法を提供する。
また、本発明は、ズーム倍率を調整するズーム部（ズームレンズ１０１、ズームアクチュエータ１１５、デジタルズーム処理部４０３）を備える撮像装置の撮像プログラムであって、コンピュータに、被写体像を撮像させるステップと、ユーザにより予め設定されたズーム倍率に関する情報を記憶部（キャッシュメモリ２０４）に格納させるステップと、前記ユーザが操作可能な第１のズーム倍率変更部（メモリボタン９０４）の操作に応じて、ズーム倍率が前記予め設定されたズーム倍率になるように、前記ズーム部を制御させるステップと、を備える撮像プログラムを提供する。
【発明の効果】
【０００８】
本発明によれば、容易に所望のズーム倍率に変更することができる撮像装置、撮像装置の制御方法、及び撮像プログラムを提供することができる。
【図面の簡単な説明】
【０００９】
【図１】実施の形態にかかる撮像装置の上面図である。
【図２】実施の形態にかかる撮像装置の正面図である。
【図３】実施の形態にかかる撮像装置の背面図である。
【図４】実施の形態にかかる撮像装置のブロック図である。
【図５】実施の形態にかかる撮像装置のズーム倍率の記憶処理を説明するためのフローチャートである。
【図６】実施の形態にかかる撮像装置のズーム倍率の読み出し処理を説明するためのフローチャートである。
【図７】実施の形態にかかる撮像装置のズーム倍率の記憶処理を説明するための図である。
【図８】実施の形態にかかる撮像装置のズーム倍率の記憶処理を説明するための図である。
【図９】実施の形態にかかる撮像装置のズーム倍率の読み出し処理を説明するための図である。
【図１０】実施の形態にかかる撮像装置のズーム倍率の読み出し処理を説明するための図である。
【図１１】実施の形態にかかる撮像装置のズーム倍率の読み出し処理を説明するための図である。
【図１２】実施の形態にかかる撮像装置のズーム倍率の読み出し処理を説明するための図である。
【発明を実施するための形態】
【００１０】
以下、図面を参照して本発明の実施の形態について説明する。図１〜図３は、本実施の形態にかかる撮像装置１の外観図である。図１は、撮像装置１の上面図である。図２は、撮像装置１の正面図である。図３は、撮像装置１の背面図である。図１〜図３に示すように、撮像装置１は、本体部１１と、モニタ部１２と、第１のマイク１３と、第２のマイク１４と、レンズ１５と、ズームレバー１６と、シャッターボタン１７と、を備える。本体部１１の前端には、レンズ１５が設けられている。
【００１１】
＜撮像装置１の外観構成＞
本体部１１は、複数のレンズを有するレンズユニットや、撮像素子、バッテリ、Ｗｉ−Ｆｉモジュール等（図示省略）を格納する筐体である。撮像装置１は、画像を撮像するためのレンズユニット及び撮像素子を用いて、静止画及び動画を撮像することができる。
【００１２】
また、本体部１１の背面側には、モニタ部１２が設けられている。モニタ部１２は、本体部１１に対して、ヒンジを介して連結されている。モニタ部１２は、被写体、記憶された画像データ、設定情報、その他の情報を表示する液晶モニタなどを有している。なお、モニタ部１２がタッチパネル機能を備える場合には、モニタ部１２の液晶モニタが操作部の一部となる。
【００１３】
本体部１１は、上面に第１のマイク１３及び第２のマイク１４を有する。第１のマイク１３は、撮像装置１を背面から見た場合に（図３）、本体部１１に向かって左側に位置する。第２のマイク１４は、撮像装置１を背面から見た場合に（図３）、本体部１１に向かって右側に位置する。つまり、第１のマイク１３は、Ｌ（Left）ｃｈマイクである。第２のマイクは、Ｒ（Right）ｃｈマイクである。
【００１４】
ズームレバー１６（第２のズーム倍率変更部、第３のズーム倍率変更部）は、本体部１１の上面後方に位置する。ユーザがズームレバー１６をＴ（Tele）側に押すと、撮像装置１の光学ズーム倍率またはデジタルズーム倍率が上がる（望遠）。ユーザがズームレバー１６をＷ（Wide）側に押すと、撮像装置１の光学ズーム倍率またはデジタルズーム倍率が下がる（広角）。以下の説明においては、光学ズーム倍率及びデジタルズーム倍率を含めて、単にズーム倍率と称す場合もある。
【００１５】
なお、本発明に係る撮像装置１は、静止画または動画像を撮像でき、例えば液晶モニタ等の表示部を有するものであれば、その形状、及び構成は特に限定されるものではない。すなわち、撮像装置１は、ビデオカメラに限らず、撮像部及び表示部を有する電子機器（たとえばスマートフォン等の携帯端末装置）であればよい。
【００１６】
＜撮像装置１の内部構成＞
次に、撮像装置１の構成について図４を参照して説明する。図４は、本実施の形態にかかる撮像装置１の内部構成を示すブロック図である。
【００１７】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成され、撮像、及び各種画像の表示等の撮像装置１全体の処理を統括的に制御する。
【００１８】
撮像装置１は、ズームレンズ１０１、フォーカスレンズ１０２、絞り１０３、撮像素子１０４、及びズームアクチュエータ１１５を含む撮像部１００を有する。ズームレンズ１０１はズームアクチュエータ１１５（レンズ駆動部）によって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成され、各種レンズによって結像された被写体像を撮像する。
【００１９】
ズームアクチュエータ１１５は、後述するフラッシュメモリ２０４に格納された光学ズーム倍率や、操作部３０６（ズームレバー１６）の操作量に応じた光学ズーム倍率に基づいて、ズームレンズ１０１を駆動させる。これにより、ズームレンズ１０１が光学ズーム倍率に応じて移動する。撮像素子１０４は、ズームレンズ１０１の位置に応じた大きさの被写体像を撮像する。ズームアクチュエータ１１５は、例えばステッピングモータを含む。ステッピングモータは、入力される駆動パルス信号のパルス数に応じた量だけ回転する。なお、ズームレンズ１０１及びズームアクチュエータ１１５が光学ズーム倍率を調整するズーム部として機能する。
【００２０】
撮像部１００を用いた撮像は以下の手順で行われる。撮像素子１０４はズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０５に格納する。
【００２１】
デジタル信号処理部１０８は、バス２００を介して中央制御部４００からの指令に基づき、メインメモリ２０５に格納された撮像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００２２】
第１のマイク１３及び第２のマイク１４は、撮像時の周囲の音声を周音し、アナログ音声信号を生成する。より詳細には、アナログ音声信号処理部１１０は、第１のマイク１３により生成された第１のアナログ音声信号（第１の音声信号）と、第２のマイクにより生成された第２のアナログ音声信号（第２の音声信号）と、を取得する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０５に格納する。
【００２３】
なお、アナログ音声信号処理部１１０（音声制御部）は、第１のマイク１３及び第２のマイク１４から入力されたアナログ音声信号の信号レベルを低減する。具体的には、アナログ音声信号処理部１１０は、撮像装置の光学ズーム倍率に基づいて、第１のアナログ音声信号及び第２のアナログ音声信号に含まれる同位相の信号のレベルを低減させる。
【００２４】
多重化部１１３は、メインメモリ２０５に格納された撮像データ及びデジタル音声データの圧縮データを多重化しストリームデータを生成する。また、多重化部１１３は、カード型記録媒体３０２に格納されたストリームデータに逆多重化処理を施し、映像の圧縮データと音声の圧縮データとをそれぞれ分離して生成する。
【００２５】
圧縮・伸長処理部２０１は、バス２００を介して中央制御部４００からの指示に従い、メインメモリ２０５に格納された撮像データ及びデジタル音声データに所定の圧縮処理を施し、圧縮データを生成する。また、圧縮・伸長処理部２０１は、中央制御部４００からの指令に従い、カード型記録媒体３０２等に格納された映像の圧縮データ及び音声の圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００２６】
音声・画像処理部２０２は、バス２００を介して中央制御部４００の指示に従い、メインメモリ２０５から読み出したデジタルデータに所定の画像処理を施す。例えばメニュー画像やＯＳＤ画像等、各種処理のための画像データを生成し、その画像データをメインメモリ２０５から読み出されたオリジナルの撮像データに重畳させて液晶モニタ３０４に出力する。この出力によって、液晶モニタ３０４に表示される画像は各種画像データが合成ないし重畳されたものとなる。なお、液晶モニタ３０４の代わりに有機ＥＬ（Electro - Luminescence）モニタ等の他のモニタを用いることも可能である。
【００２７】
ＲＯＭ２０３はバス２００を介して中央制御部４００に接続されており、中央制御部４００が実行する制御プログラム及び制御に必要な各種データ等を格納している。フラッシュメモリ２０４は、ユーザの設定情報等、撮像装置１の動作に関する各種設定情報を格納している。フラッシュメモリ２０４は、ユーザにより予め設定されたズーム倍率に関する情報を格納する。より詳細には、フラッシュメモリ２０４は、ズーム倍率として、ステッピングモータ（ズームアクチュエータ１１５）に供給される駆動パルス信号のパルス数を示す情報を格納する。
【００２８】
メインメモリ２０５は、撮像データ（動画像及び静止画）の一時記憶領域として使用される。メインメモリ２０５は、中央制御部４００の指令に応じて、保持している多重化されたストリームデータ（動画ファイル）をカード型記録媒体３０２または内蔵型記録媒体２０９に格納する。このとき、ストリームデータの格納先をカード型記録媒体３０２にするか、内蔵型記録媒体２０９にするかについて、ユーザが選択できるようにしてもよい。なお、メインメモリ２０５は、中央制御部４００の演算作業領域としても使用される。
【００２９】
メディア制御部２０６は、中央制御部４００の指令に従い、カードＩ／Ｆ３０１を通じてカード型記録媒体３０２または内蔵型記録媒体２０９へのデータの書き込みやデータの読み出しを制御する。カード型記録媒体３０２（撮像データ記憶部、マーカ記憶部）はＳＤカードやコンパクトフラッシュ（登録商標）等の外部メモリであり、撮像装置１に対して脱着可能に設けられている。
【００３０】
ジャイロセンサ２０７は、３軸の加速度及び角速度の変化を検出する。そして、ジャイロセンサ２０７の検出結果に応じて、液晶モニタ３０４の表示向きを変える。時計２０８は、撮像画像データの取得日時の情報等を示す入力時刻情報を生成する。内蔵型記録媒体２０９は、撮像装置１に予め内蔵されたＲＡＭ等のメモリである。
【００３１】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０５に一時記録された撮像データ、又はインターフェイス画像データや各種メニュー画像データ等、各種画像データから生成された画像を表示する。ここで、液晶モニタ３０４に出力される撮像データは、ユーザが操作部３０６の図示しない録画ボタンをＯＮにしてカード型記録媒体等の図示しない記録媒体に記録するものだけでなく、ユーザが撮像する内容を確認するために液晶モニタ３０４に表示される、いわゆるスルー画像に係るデータも含まれるのは勿論である。スピーカ３０５は、例えばメインメモリ２０５に一時記録された音声を出力する。
【００３２】
操作部３０６は、各種操作ボタン（ズームレバー１６やシャッターボタン１７等）、又は液晶モニタ３０４上に設けられたタッチパネル等を含み、ユーザの撮像装置１への操作入力を受け付ける。なお、操作部３０６には、後述するメモリボタンが含まれる。ユーザがメモリボタンを押すと、撮像装置１のズーム倍率は、フラッシュメモリ２０４に格納されたズーム倍率に変更される。
【００３３】
無線モジュール３０９は、バス２００及び無線Ｉ／Ｆ３０８を介して、各データを他の装置との間で送受信する。各種情報及び撮像画像データ等の無線通信はＩＥＥＥ８０２．１１規格に準拠した方式で行われる。より具体的には、無線モジュール３０９は、Ｗｉ−Ｆｉ等の無線ＬＡＮ規格に準拠した通信処理を行う。
【００３４】
中央制御部４００は、光学ズーム制御部４０１と、デジタルズーム制御部４０２と、デジタルズーム処理部４０３と、を有する。光学ズーム制御部４０１（ズーム制御部）は、ズームアクチュエータ１１５に対して駆動パルス信号を出力し、ズームアクチュエータ１１５の駆動を制御する。
【００３５】
このとき、光学ズーム制御部４０１は、駆動パルス信号を生成したり、フラッシュメモリ２０４から取得したりする。より詳細には、光学ズーム制御部４０１は、ユーザによりズームレバー１６が操作された場合、ズームレバー１６の操作量に応じたパルス数の駆動パルス信号を生成する。一方、光学ズーム制御部４０１は、ユーザによりズーム倍率の読み出し操作が行われた場合、フラッシュメモリ２０４に格納されたパルス数の駆動パルス信号を生成する。
【００３６】
また、光学ズーム制御部４０１は、ユーザによりズーム倍率の記憶操作が行われた場合、現在のズーム倍率に関する情報をフラッシュメモリ２０４に格納する。ズーム倍率に関する情報とは、駆動パルス信号のパルス数やデジタルズーム倍率を示す情報である。
【００３７】
デジタルズーム制御部４０２（ズーム制御部）は、光学ズーム倍率が最大の状態において、さらにズーム要求があった場合に、デジタルズーム処理部４０３の制御を行う。デジタルズーム処理部４０３（ズーム部）は、撮像処理によって生成された画像データに対してズーム処理を行う。ズーム要求は、デジタルズームを行うための操作部３０６（第３のズーム倍率変更部）が操作されることにより、デジタルズーム制御部４０２に出力される信号である。例えば、ズーム要求は、ズームレバー１６の操作に応じて出力されてもよいし、液晶モニタ３０４のタッチ操作に応じて出力されてもよい。
【００３８】
このとき、デジタルズーム処理とは、ズームレンズ１０１の位置を変更せずに行われるズーム処理である。例えば、デジタルズーム処理には、メインメモリ２０５に格納された撮像データに対して、拡大処理や補間処理等の画像処理を用いて単純に画素を拡大する処理が含まれる。また、デジタルズーム処理には、撮像素子１０４の全ての領域を使用せずに、中央の一部の領域のみを用いて撮像を行うことにより、生成される撮像データの画角を狭くする（つまりズームする）処理も含まれる。
【００３９】
＜撮像装置１の動作＞
続いて、図５及び図６に示すフローチャートを参照して、本実施の形態にかかる撮像装置１の動作について説明する。
【００４０】
＜ズーム倍率の記憶＞
はじめに、撮像装置１が光学ズーム倍率を記憶する動作について説明する。図５は、光学ズーム倍率記憶処理を示すフローチャートである。まず、ユーザが撮像装置の電源を入れる。これにより、撮像装置１の電源がＯＮになる（ステップＳ１０１）。
【００４１】
すると、ズームアクチュエータ１１５は、ズームレンズ１０１をＷ端に移動させる（ステップＳ１０２）。これにより、ズームレンズ１０１が基準位置（ホームポジション）であるＷ端に移動する。ズームアクチュエータ１１５は、入力される駆動パルス信号のパルス数に応じた距離だけ、ズームレンズ１０１をＷ端からＴ端へと移動させる。
【００４２】
次に、光学ズーム制御部４０１は、ユーザがズームレバー１６を操作したか否かを判定する（ステップＳ１０３）。具体的には、ズームレバー１６は、ユーザにより操作されると、操作方向（Ｗ方向への操作またはＴ方向への操作）と、その操作量（ズームレバー１６が押された量）と、を示す信号を生成し、光学ズーム制御部４０１へ送信する。光学ズーム制御部４０１は、ズームレバー１６から送られてきた操作方向及び操作量を示す信号（以下、操作信号と称す）を受信したか否かを判定する。
【００４３】
ユーザがズームレバー１６を操作していない場合（ステップＳ１０３：Ｎｏ）、光学ズーム制御部４０１は、ズームレバー１６の操作が行われるまで待機する。つまり、光学ズーム制御部４０１は、ズームレバー１６から操作信号を受信するまでは待機状態となる。
【００４４】
一方、ユーザがズームレバー１６を操作した場合（ステップＳ１０３：Ｙｅｓ）、光学ズーム制御部４０１は、操作信号に応じた駆動パルス信号をズームアクチュエータ１１５に出力する（ステップＳ１０４）。具体的には、光学ズーム制御部４０１は、操作方向及び操作量に応じたパルス数の駆動パルス信号を生成し、ズームアクチュエータ１１５に出力する。ズームアクチュエータ１１５は、駆動パルス信号に基づいて、ズームレンズ１０１を移動させる。これにより、ズームレンズ１０１は、ズームレバー１６の操作方向及び操作量に応じた方向及び移動量で移動する（ステップＳ１０５）。このとき、光学ズーム制御部４０１は、ズームアクチュエータ１１５に出力した駆動パルス信号のパルス数をメインメモリ２０５に一時的に格納する。
【００４５】
なお、ズームレンズ１０１の移動速度は可変である。光学ズーム制御部４０１は、ズームレンズ１０１の移動速度についても制御する。例えば、ズームレンズ１０１は、３段階（高速、中速、低速）の速度で移動可能であるとする。光学ズーム制御部４０１は、ズームレバー１６の操作量が第１の閾値よりも小さい場合、低速でズームレンズ１０１を移動させるようにズームアクチュエータ１１５に指示する。また、光学ズーム制御部４０１は、ズームレバー１６の操作量が第１の閾値以上、第２の閾値よりも小さい場合、中速でズームレンズ１０１を移動させるようにズームアクチュエータ１１５に指示する。さらに、光学ズーム制御部４０１は、ズームレバー１６の操作量が第２の閾値以上の場合、高速でズームレンズ１０１を移動させるようにズームアクチュエータ１１５に指示する。
【００４６】
また、光学ズーム制御部４０１は、ズームアクチュエータ１１５に出力した駆動パルス信号のパルス数（現在の撮像装置１の光学ズーム倍率）をアナログ音声信号処理部１１０にも出力する。アナログ音声信号処理部１１０は、入力されたパルス数（現在の撮像装置１の光学ズーム倍率）に基づいて、第１の音声信号及び第２の音声信号に含まれる同位相の信号のレベルを低減させる。具体的には、アナログ音声信号処理部１１０は、撮像装置１の光学ズーム倍率が最大値の場合（ズームレンズ１０１がＴ端に位置しているとき）、第１の音声信号及び第２の音声信号をそのまま音声Ａ／Ｄ変換部１１１に出力する。一方、アナログ音声信号処理部１１０は、撮像装置１の光学ズーム倍率が最大値から低下する（ズームレンズ１０１がＴ端からＷ端に移動する）ことに応じて、第１の音声信号及び第２の音声信号の同位相成分を低減させる。つまり、アナログ音声信号処理部１１０は、撮像装置１の光学ズーム倍率が低い程、同位相成分を低減させる。そして、アナログ音声信号処理部１１０は、同位相成分を低減させた第１の音声信号及び第２の音声信号を音声Ａ／Ｄ変換部１１１に出力する。これにより、ズームレンズ１０１がＷ端に向かうにつれて、同位相成分が低減されるため、第１のマイク１３が収音した音と第２のマイク１４が収音した音との違いが明確になる。その結果、撮像装置１の光学ズーム倍率が低い程、ステレオ感を強調することができる。
【００４７】
次に、光学ズーム制御部４０１は、現在の光学ズーム倍率の記憶操作がなされたか否かを判定する（ステップＳ１０６）。光学ズーム倍率の記憶操作とは、例えば、光学ズーム倍率記憶用のボタン（メモリボタン）の押下等である。当該記憶操作が行われることにより、光学ズーム倍率の記憶要求が光学ズーム制御部４０１に出力される。
【００４８】
光学ズーム倍率の記憶操作がなされていない場合（ステップＳ１０６：Ｎｏ）、光学ズーム制御部４０１は、再びズームレバー１６が操作されるまで待機する。一方、光学ズーム倍率の記憶操作がなされた場合（ステップＳ１０６：Ｙｅｓ）、撮像装置１は、現在の光学ズーム倍率を記憶する（ステップＳ１０７）。具体的には、光学ズーム倍率の記憶操作に応じて光学ズーム制御部４０１に記憶要求が入力される。そして、光学ズーム制御部４０１は、メインメモリ２０５に一時記憶させている現在の光学ズーム倍率（駆動パルス信号のパルス数）を、フラッシュメモリ２０４に格納する。以上の動作により、撮像装置１は光学ズーム倍率を記憶する。
【００４９】
ここで、図７及び図８を参照して、光学ズーム倍率の記憶動作についての一例を説明する。図７及び図８は、撮像中に液晶モニタ３０４に表示されている画像である。なお、図７及び図８に示す例においては、液晶モニタ３０４がタッチパネル機能を有するものとする。また、図７及び図８においては、ユーザが撮像装置１を用いてサッカーを撮像している場合を示す。
【００５０】
図７及び図８に示す表示画像には、ゲージ９０１と、目印９０２と、ズーム倍率９０３と、メモリボタン９０４と、Ｗ端ボタン９０５と、Ｔ端ボタン９０６と、が表示されている。目印９０２は、現在のズーム倍率を示している。目印９０２がゲージ９０１の左側（Ｗ端側）にあるほど、ズーム倍率が低い（広角）ことを意味し、目印９０２がゲージ９０１の右側（Ｔ端側）にあるほどズーム倍率が高い（望遠）ことを意味する。図７においては、目印９０２がＷ端に位置しているため、このときの撮像装置１のズーム倍率は最も低い状態である。このため、撮像された画像には、サッカーコートの半分程度の領域が含まれる。したがって、ユーザは、選手全体の動きを確認することができる。
【００５１】
このとき、ユーザがズームレバー１６のＴ側を押したとする。ズームレバー１６は、操作信号を生成し、光学ズーム制御部４０１に出力する。そして、光学ズーム制御部４０１は、操作信号に応じたパルス数の駆動パルス信号を生成し、ズームアクチュエータ１１５に出力する。ズームアクチュエータ１１５は、ズームレンズ１０１をＷ端からＴ端方向に移動させる。これにより、ズーム倍率が高くなる。
【００５２】
図８は、ズームレンズ１０１の移動後における表示画像である。図８は、図７の一部が拡大された画像である。つまり、図７の状態よりも望遠で撮影が行われており、画角も狭くなっている。このため、撮像された画像には、ゴール前の領域のみが含まれる。したがって、ユーザは、ゴール前の選手の細かい動作を確認することができる。なお、図８の状態においては、ズーム倍率は８倍となっている。光学ズーム制御部４０１は、現在のズーム倍率（８倍）に対応する駆動パルス信号のパルス数をメインメモリ２０５に一時的に格納する。
【００５３】
ここで、ユーザが光学ズーム倍率の記憶操作をしたとする。本例においては、光学ズーム倍率の記憶操作は、メモリボタン９０４の長押しである。光学ズーム制御部４０１は、メモリボタン９０４の長押し操作に応じて、メインメモリ２０５に一時記憶されているパルス数をフラッシュメモリ２０４に格納する。これにより、撮像装置１は、現在の光学ズーム倍率（８倍）を予め設定されたズーム倍率として記憶する。
【００５４】
なお、上記の説明においては、光学ズーム倍率の記憶処理について説明したが、デジタルズーム倍率の記憶処理も同様に行われる。具体的には、デジタルズーム制御部４０２は、操作部３０６の操作に応じて、デジタルズーム処理部４０３にデジタルズーム処理を行わせる。そして、デジタルズーム処理部４０２は、デジタルズーム処理を行っている状態でメモリボタン９０４が長押しされた場合、メモリボタン９０４が長押しされたときのデジタルズーム倍率を、予め設定されたズーム倍率としてフラッシュメモリ２０４に格納する。
【００５５】
＜ズーム倍率の読み出し＞
続いて、図６に示したフローチャートを参照して、光学ズーム倍率の読み出し処理について説明する。まず、光学ズーム制御部４０１は、ユーザが光学ズーム倍率の読み出し操作を行ったか否かを判定する（ステップＳ２０１）。
【００５６】
ユーザが光学ズーム倍率の読み出し操作を行っていない場合（ステップＳ２０１：Ｎｏ）、光学ズーム制御部４０１は、読み出し操作が行われるまで待機する。一方、ユーザが光学ズーム倍率の読み出し操作を行った場合（ステップＳ２０１：Ｙｅｓ）、光学ズーム制御部４０１は、フラッシュメモリ２０４から光学ズーム倍率を取得する（ステップＳ２０２）。つまり、光学ズーム制御部４０１は、フラッシュメモリ２０４に格納されている駆動パルス信号のパルス数を読み出す。
【００５７】
そして、光学ズーム制御部４０１は、読み出したパルス数に基づいて、駆動パルス信号を生成し、ズームアクチュエータ１１５に出力する（ステップＳ２０３）。ズームアクチュエータ１１５は、入力された駆動パルス信号に応じた移動方向及び移動量でズームレンズ１０１を移動させる（ステップＳ２０４）。以上の動作により、撮像装置１は、現在の光学ズーム倍率をフラッシュメモリ２０４に格納された光学ズーム倍率に変更する。
【００５８】
ここで、図９及び図１０を参照して、光学ズーム倍率の記憶動作についての一例を説明する。図９及び図１０は、液晶モニタ３０４の表示画像である。図９及び図１０は、図７及び図８に示した場面よりも後の場面であるとする。つまり、既にフラッシュメモリ２０４には、ズーム倍率８倍に対応するパルス数が格納されているものとする。なお、図９においては、ユーザがズームレバー１６を操作してズーム倍率を変更した後の状態である。このため、撮像装置１のズーム倍率は３倍となっている。
【００５９】
ここで、ユーザが、ゴール前の画像を撮像するために、光学ズーム倍率の読み出し操作をしたとする。本例においては、光学ズーム倍率の読み出し操作は、メモリボタン９０４（第１のズーム倍率変更部）のタッチである。光学ズーム制御部４０１は、読み出し操作に応じて、フラッシュメモリ２０４からズーム倍率８倍に対応するパルス数を読み出す。そして、光学ズーム制御部４０１は、読み出したパルス数に応じて駆動パルス信号を生成し、ズームアクチュエータ１１５に出力する。ズームアクチュエータ１１５は、入力された駆動パルス信号に基づいて、ズーム倍率が８倍となる位置までズームレンズ１０１を移動させる。これにより、撮像装置１のズーム倍率が８倍に変更される（図１０参照）。つまり、メモリボタン９０４の操作量や操作方向に拘わらず、メモリボタン９０４のタッチ（押下）のみによって、撮像装置１のズーム倍率が予め設定された倍率に変化する。
【００６０】
なお、フラッシュメモリ２０４には、ズームレンズ１０１をＷ端に移動させるためのパルス数及びＴ端に移動させるためのパルス数も予め格納されている。ユーザがＷ端ボタン９０５（第１のズーム倍率変更部）にタッチすると、光学ズーム制御部４０１は、フラッシュメモリ２０４からズームレンズ１０１をＷ端に移動させるためのパルス数を読み出す。そして、光学ズーム制御部４０１は、読み出したパルス数に応じて駆動パルス信号を生成し、ズームアクチュエータ１１５に出力する。これにより、撮像装置１のズーム倍率が１倍に変更される（図１１参照）。同様に、ユーザがＴ端ボタン９０５（第１のズーム倍率変更部）にタッチすると、光学ズーム制御部４０１は、フラッシュメモリ２０４からズームレンズ１０１をＴ端に移動させるためのパルス数を読み出す。そして、光学ズーム制御部４０１は、読み出したパルス数に応じて駆動パルス信号を生成し、ズームアクチュエータ１１５に出力する。これにより、撮像装置１のズーム倍率が１０倍に変更される（図１２参照）。
【００６１】
また、メモリボタン９０４、Ｗ端ボタン９０５、及びＴ端ボタン９０６（つまり、第１のズーム倍率変更部）のタッチにより光学ズーム倍率が変更される場合、光学ズーム制御部４０１は、ズームアクチュエータ１１５に対して、最高速でズームレンズ１０１を移動させるように命令する。つまり、ズームレンズ１０１の移動速度が可変である場合に、ズームアクチュエータ１１５は、最も早い速度でズームレンズ１０１を移動させる。これにより、撮像装置１のズーム倍率が、高速で所望のズーム倍率に変化する。
【００６２】
なお、上記の説明においては、光学ズーム倍率の読み出し処理について説明したが、デジタルズーム倍率の読み出し処理も同様に行われる。具体的には、デジタルズーム制御部４０２は、フラッシュメモリ２０４にデジタルズーム倍率が格納されている場合に、メモリボタン９０４がタッチされると、格納されたデジタルズーム倍率になるように、デジタルズーム処理を行う。これにより、光学ズームではズーム倍率が足りない場合であっても、デジタルズーム処理によって対応することができる。
【００６３】
以上のように、本実施の形態にかかる撮像装置１の構成によれば、フラッシュメモリ２０４は、ユーザにより予め設定されたズーム倍率を格納する。そして、光学ズーム制御部４０１及びデジタルズーム制御部４０２は、メモリボタン９０４の操作に応じて、撮像装置１の光学ズーム倍率及びデジタルズーム倍率が予め設定されたズーム倍率になるように、ズームアクチュエータ１１５を制御する。このため、ユーザは、所望のズーム倍率を予めフラッシュメモリ２０４に格納しておけば、所望のズーム倍率に設定したい場合にメモリボタン９０４をタッチするだけでよい。つまり、ズームレバー１６を操作してズーム倍率を調整することなく、容易に所望のズーム倍率に変更できる。
【００６４】
以上、本発明を上記実施形態に即して説明したが、上記実施形態の構成にのみ限定されるものではなく、本願発明の範囲内で当業者であればなし得る各種変形、修正、組み合わせを含むことは勿論である。
【００６５】
例えば、図５に示したズーム倍率の記憶処理及び図６に示したズーム倍率の読み出し処理は、撮影中だけでなく、撮影前に液晶モニタ３０４にスルー画像が表示されている状態（ライブビュー状態）において行われてもよい。また、ズーム倍率の記憶操作とズーム倍率の読み出し操作を同じボタン（メモリボタン９０４）で行っていたが、異なるボタンや操作であってもよい。さらに、表示画面の構成は、図７〜図１２に示した構成に限られない。
【００６６】
また、上述の撮像装置１の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュメモリ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６７】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００６８】
１  撮像装置
１１  本体部
１２  モニタ部
１３  第１のマイク
１４  第２のマイク
１５  レンズ
１６  ズームレバー
１７  シャッターボタン
１００  撮像部
１０１  ズームレンズ
１０２  フォーカスレンズ
１０３  絞り
１０４  撮像素子
１０５  アナログ画像信号処理部
１０６  画像Ａ／Ｄ変換部
１０７  画像入力コントローラ
１０８  デジタル信号処理部
１１０  アナログ音声信号処理部
１１１  音声Ａ／Ｄ変換部
１１２  音声入力コントローラ
１１３  多重化部
１１５  ズームアクチュエータ
４００  中央制御部
４０１  光学ズーム制御部
４０２  デジタルズーム制御部
４０３  デジタルズーム処理部
９０１  ゲージ
９０２  目印
９０３  ズーム倍率
９０４  メモリボタン
９０５  Ｗ端ボタン
９０６  Ｔ端ボタン
【図１】
2014123909.tif 000003
【図２】
2014123909.tif 000004
【図３】
2014123909.tif 000005
【図４】
2014123909.tif 000006
【図５】
2014123909.tif 000007
【図６】
2014123909.tif 000008
【図７】
2014123909.tif 000009
【図８】
2014123909.tif 000010
【図９】
2014123909.tif 000011
【図１０】
2014123909.tif 000012
【図１１】
2014123909.tif 000013
【図１２】
2014123909.tif 000014